(57)【特許請求の範囲】
【請求項１】
潤滑分配器（３）を備え、前記潤滑分配器（３）に、少なくとも１つのピストン孔（４）が形成されており、前記ピストン孔（４）に、ピストン（５）が振動運動可能に配置されており、前記ピストン孔（４）は、その軸方向の端部領域で、それぞれ１つの閉鎖ねじ（６，７）により閉鎖されている、潤滑剤を器具（２）に供給する潤滑装置（１）であって、
前記閉鎖ねじ（６，７）の内の少なくとも１つ（６）の内側又は表面に、少なくとも１つのセンサ（８）が配置されており、前記センサ（８）は、監視装置（９）に接続されていて、これにより前記潤滑分配器（３）の少なくとも１つの運転パラメータを把握して監視することができるようになっていることを特徴とする、潤滑剤を器具（２）に供給する潤滑装置（１）。
【請求項２】
前記少なくとも１つのセンサ（８）は、加速度センサ、速度センサ又は距離センサであり、前記センサ（８）により、前記閉鎖ねじ（６）と前記ピストン（５）の接触が検出可能である、請求項１記載の潤滑装置（１）。
【請求項３】
前記少なくとも１つのセンサ（８）は、温度センサである、請求項１記載の潤滑装置（１）。
【請求項４】
前記少なくとも１つのセンサ（８）は、圧力センサである、請求項１記載の潤滑装置（１）。
【請求項５】
前記閉鎖ねじ（６）は、円筒形のねじ山区分（１０）を備え、前記ねじ山区分（１０）は、穴（１１）を備え、該穴（１１）に、ストッパ要素（１２）が配置されている、請求項１から３までのいずれか１項記載の潤滑装置（１）。
【請求項６】
前記ストッパ要素（１２）は、円筒形の形状を有する、請求項５記載の潤滑装置（１）。
【請求項７】
前記少なくとも１つのセンサ（８）は、前記穴（１１）の底部に配置されている、請求項５又は６記載の潤滑装置（１）。
【請求項８】
前記少なくとも１つのセンサ（８）から前記監視装置（９）に信号をワイヤレスに伝達する手段（１３）が設けられている、請求項１から７までのいずれか１項記載の潤滑装置（１）。
【請求項９】
前記信号をワイヤレスに伝達する手段（１３）は、無線通信手段である、請求項８記載の潤滑装置（１）。
【請求項１０】
潤滑剤が供給される前記器具（２）は、拡管装置である、請求項１から９までのいずれか１項記載の潤滑装置（１）。
【発明の詳細な説明】
【技術分野】
【０００１】
本発明は、潤滑分配器を備え、潤滑分配器に、少なくとも１つのピストン孔が形成されており、ピストン孔に、ピストンが振動運動可能に配置されており、ピストン孔は、その軸方向の端部領域で、それぞれ１つの閉鎖ねじにより閉鎖されている、潤滑剤を器具に供給する潤滑装置に関する。
【背景技術】
【０００２】
様々な形の器具に、規定通りの運転のために潤滑剤を供給しなければならず、その際、特に十分な量の潤滑油又は潤滑グリースを提供しなければならない。これに関して特に関係がある例ひいては態様として、ドイツ連邦共和国特許第１０００８６８８号明細書に記載されているような管を拡張する装置としての拡管機（拡管器具）が挙げられている。
【０００３】
そのような器具の潤滑剤供給のために、冒頭で述べた形の、潤滑分配器を備える潤滑装置が知られている。ブロック状に形成された潤滑分配器には、大抵の場合複数の孔が形成されており、孔に、ピストンが振動運動可能に配置されている。ピストン孔の軸方向端部は、それぞれ１つの閉鎖ねじにより閉鎖されている。閉鎖ねじは、ピストンのための軸方向のストッパを形成している。
【０００４】
ピストンの振動駆動により、その都度のピストンストロークにより、規定量の潤滑グリース又は潤滑油を圧送して、器具に供給することができ、これにより時間あたり所望の量の潤滑剤（油又はグリース）を器具に送り出すことができる。
【０００５】
特に拡管器具の前述の使用例では、管拡張時の潤滑システムの監視が問題である。この問題は、潤滑分配器が拡張プロセスの間それ自体アクセス不能であることにも起因する。したがって潤滑システムの不十分な機能を適時に把握することができない場合には、著しい器具破損の恐れがある。
【先行技術文献】
【特許文献】
【０００６】
【特許文献１】ドイツ連邦共和国特許第１０００８６８８号明細書
【発明の概要】
【発明が解決しようとする課題】
【０００７】
したがって本発明の根底を成す課題は、冒頭で述べたような形の潤滑装置を改良して、潤滑分配器自体が十分にアクセス可能でない場合でも、潤滑システムの監視を保証することができるものを提供することである。
【課題を解決するための手段】
【０００８】
この課題を解決するために、本発明によれば、潤滑分配器を備え、潤滑分配器に、少なくとも１つのピストン孔が形成されており、ピストン孔に、ピストンが振動運動可能に配置されており、ピストン孔は、その軸方向の端部領域で、それぞれ１つの閉鎖ねじにより閉鎖されている、潤滑剤を器具に供給する潤滑装置であって、少なくとも１つの閉鎖ねじの内側又は表面に、少なくとも１つのセンサが配置されており、センサは、監視装置に接続されていて、これにより潤滑分配器の少なくとも１つの運転パラメータを把握して監視することができるようになっている。
【０００９】
好適には、センサは、加速度センサ、速度センサ又は距離センサであり、センサにより、閉鎖ねじとピストンの接触が検出可能である。
【００１０】
好適には、センサは、温度センサである。
【００１１】
好適には、センサは、圧力センサである。
【００１２】
好適には、閉鎖ねじは、円筒形のねじ山区分を備え、ねじ山区分は、穴を備え、穴に、ストッパ要素が配置されている。
【００１３】
好適には、ストッパ要素は、円筒形の形状を有する。
【００１４】
好適には、センサは、穴の底部に配置されている。
【００１５】
好適には、センサから監視装置に信号をワイヤレスに伝達する手段が設けられている。
【００１６】
好適には、信号をワイヤレスに伝達する手段は、無線通信手段である。
【００１７】
好適には、潤滑剤が供給される器具は、拡管装置である。
【発明の効果】
【００１８】
本発明による前記課題の解決手段は、潤滑分配器の少なくとも１つの閉鎖ねじの内側又は表面に、少なくとも１つのセンサが配置されており、センサは、監視装置に接続されていて、これにより潤滑分配器の少なくとも１つの運転パラメータを把握して監視することができるようになっていることを特徴とする。
【００１９】
センサは、加速度センサ、速度センサ又は距離センサであってよく、センサにより、閉鎖ねじとのピストンの接触が検出可能である。
【００２０】
センサは、温度センサ又は圧力センサであってもよい。
【００２１】
閉鎖ねじは、好適には円筒形のねじ山区分を備え、ねじ山区分は、穴を備え、穴に、ストッパ要素が配置されている。この場合、ストッパ要素は、好適には円筒形の形状を有する。この場合、センサは、穴の底部に配置することができる。
【００２２】
さらに好適には、センサから監視装置に信号をワイヤレスに伝達する手段が設けられている。この手段は、無線機を介してデータを伝達するように形成することができる。
【００２３】
潤滑剤が供給される器具は、特に好適には、管製造、特に大形管製造において使用されるような拡管装置である。
【００２４】
したがって提案された監視システムにより、潤滑分配器の故障が適時に把握されるので、器具の破損を確実に阻止することができる。特に、滑り要素の摩耗を適時に把握することができる。
【図面の簡単な説明】
【００２５】
【図１】拡管器具用の潤滑装置の潤滑装置示す概略図である。
【図２】潤滑分配器の閉鎖ねじを示す図である。
【発明を実施するための形態】
【００２６】
次に本発明の実施の形態を、図示の態様を用いて詳しく説明する。
【００２７】
図１には、潤滑装置１を示してあり、潤滑装置１は、器具２の潤滑剤供給のために働く。器具２は、例えばドイツ連邦共和国特許第１０００８６８８号明細書に記載されている拡管装置である。
【００２８】
潤滑装置１の核となる要素は、潤滑分配器３であり、潤滑分配器３の一般的な構造形式自体は公知である。したがって潤滑分配器３は、ピストン５が孔４内で振動運動（往復運動）を行うことを可能にするために、ピストン孔４を備える。振動運動は、図１において両矢で示している。ピストン孔４は、その端部で閉鎖されており、閉鎖のために閉鎖ねじ６，７が働く。
【００２９】
閉鎖ねじ６，７は、正確な潤滑剤供給量を調量するためにも働く。なぜならば、調量により、ピストン５の軸方向の運動が制限され、ひいてはピストンストローク毎の送り出される潤滑剤の体積が規定されるだけでなく、その点において制限もされるからである。
【００３０】
両方の閉鎖ねじ６，７にそれぞれ１つのセンサ８が配置されていることが重要であり、又新規なことである。これらの両センサは、監視装置９に接続されている（もちろんこれについては閉鎖ねじ６のセンサ８に対して図示されたものでしかない）。これにより潤滑分配器３の運転パラメータを把握して、監視することができる。
【００３１】
この場合、センサ８から監視装置９へのデータ伝達部は、本態様では、ワイヤレスに形成されており、そのために、無線信号に基づいて作動する手段１３が設けられている。
【００３２】
図２において、本発明により提案された閉鎖ねじ６，７の詳細が看取される。この図２には、振動運動するピストン５も示されている。
【００３３】
閉鎖ねじ６は、円筒形のねじ山区分１０に穴１１を有し、穴１１にストッパ要素１２が圧入されている。ストッパ要素１２は、円筒形のボディとして形成されており、その軸方向の延在部分の一部が穴１１に達する。
【００３４】
穴１１の底部に、センサ８が配置されている。センサ８のために、穴１１の底部にさらに凹部１６が形成されている。この場合、ストッパ要素１２は、センサ８を取り付けたあとで、穴１１に固定されている。センサ８により検出されたデータは、先ずケーブル１４を介してねじ頭１７の領域に伝達される。そこには送信器１５が配置されており、送信器１５は、図示されていない受信器と通信し、送信器１５及び受信器は、信号をワイヤレスに伝達する手段１３を形成している。
【００３５】
提案された構成により、簡単かつ確実な形で潤滑分配器３を監視することができ、これにより異常な運転状況を迅速に発見することができる。そうして器具２の破損を改善された形で阻止することができる。
【符号の説明】
【００３６】
１  潤滑装置
２  器具（拡管装置）
３  潤滑分配器
４  ピストン孔
５  ピストン
６  閉鎖ねじ
７  閉鎖ねじ
８  センサ
９  監視装置
１０  円筒形のねじ山区分
１１  穴
１２  ストッパ要素
１３  信号をワイヤレスに伝達する手段（無線通信手段）
１４  ケーブル
１５  送信器
１６  凹部
１７  ねじ頭
【図１】
0005409949.tif 000002
【図２】
0005409949.tif 000003